(57)【要約】【課題】複数のユーザが同時に用いる場合に、各々のユーザが退屈することなく操作することのできる画像編集装置を提供する。【解決手段】ディスプレイに表示される編集用画面において、編集用画像選択部２０４にアイコン表示された各ツールごとの編集用画像から編集に用いる編集用画像を、右側のタブレットペンを持ったユーザが準備画像表示部２０５にドラッグすると、選択された編集用画像は、編集処理に用いる編集用画像の候補である準備画像として準備画像表示部２０５に表示される。そして、左側のタブレットペンを持ったユーザが、準備画像表示部２０５に表示された準備画像を選択し、画像入力部２０１に表示された撮影画像に対して入力の指示を行なうと、選択された準備画像が撮影画像に対して入力される。【選択図】        図６
2004178308.tif 000002
【特許請求の範囲】
【請求項１】
第１画像に対して入力する候補となる編集用画像の選択を受付ける編集用画像選択手段と、
前記選択された編集用画像を、前記第１画像に対して入力可能な準備画像として表示する準備画像表示手段と、
前記準備画像表示手段にて表示された前記準備画像から、前記第１画像に対して入力する準備画像の選択を受付ける準備画像選択手段と、
前記選択された準備画像を、前記第１画像に対して入力する画像入力手段とを備える、画像編集装置。
【請求項２】
前記画像入力手段は、さらに、前記編集用画像選択手段において選択された前記編集用画像を前記第１画像に対して入力することを特徴とする、請求項１に記載の画像編集装置。
【請求項３】
第１の入力手段において前記編集用画像選択手段での前記編集用画像の選択を実行し、第２の入力手段において前記準備画像選択手段での前記準備画像の選択を実行する場合に、前記第１の入力手段と前記第２の入力手段とを切替えて、前記第２の入力手段において前記準備画像の選択を行ない、前記第１の入力手段において前記準備画像の選択を行なうようにするための切替手段をさらに備える、請求項１に記載の画像編集装置。
【請求項４】
ユーザの指示を受付けて、前記編集用画像を変化させる変化手段をさらに備え、
前記画像入力手段は、前記変化した編集用画像を前記第１画像に対して入力する、請求項１〜３のいずれかに記載の画像編集装置。
【請求項５】
前記編集用画像を、前記第１画像の入力される状態で前記画像入力手段において前記第１画像に対して入力する以前に表示する編集用画像表示手段をさらに備える、請求項１〜４のいずれかに記載の画像編集装置。
【請求項６】
前記編集用画像に対して画像の加工を行なう編集用画像加工手段をさらに備え、
前記加工された編集用画像を、前記編集用画像として利用可能なことを特徴とする、請求項１〜５のいずれかに記載の画像編集装置。
【請求項７】
前記準備画像表示手段にて表示された前記準備画像を消去する準備画像消去手段をさらに備える、請求項１〜６のいずれかに記載の画像編集装置。
【請求項８】
前記編集用画像選択手段と前記準備画像表示手段とを備える第１の表示装置と、
前記準備画像表示手段と前記準備画像選択手段とを備える第２の表示装置とを含む画像編集装置であって、
前記第１の表示装置の前記編集用画像選択手段で選択された編集用画像が、前記第１の表示装置の前記準備画像表示手段と、前記第２の表示装置の前記準備画像表示手段との両方に準備画像として表示される、請求項１〜７のいずれかに記載の画像編集装置。
【請求項９】
前記準備画像表示手段および前記準備画像選択手段を備えるか否かを、選択可能な状態でユーザに提示することを特徴とする、請求項１〜８のいずれかに記載の画像編集装置。
【請求項１０】
画像編集装置における画像編集方法であって、
第１画像に対して入力する候補となる編集用画像の選択を編集用画像選択装置から受付ける編集用画像選択ステップと、
前記選択された編集用画像を、前記第１画像に対して入力可能な準備画像として表示する準備画像表示ステップと、
前記準備画像表示ステップにて表示された前記準備画像から、前記第１画像に対して入力する準備画像の選択を準備画像選択装置から受付ける準備画像選択ステップと、
前記選択された準備画像を、前記第１画像に対して入力する画像入力手ステップとを備える、画像編集方法。
【請求項１１】
画像編集方法をコンピュータに実行させる画像編集プログラムであって、
第１画像に対して入力する候補となる編集用画像の選択を編集用画像選択装置から受付ける編集用画像選択ステップと、
前記選択された編集用画像を、前記第１画像に対して入力可能な準備画像として表示する準備画像表示ステップと、
前記準備画像表示ステップにて表示された前記準備画像から、前記第１画像に対して入力する準備画像の選択を準備画像選択装置から受付ける準備画像選択ステップと、
前記選択された準備画像を、前記第１画像に対して入力する画像入力手ステップとを実行させる、画像編集プログラム。
【発明の詳細な説明】
【０００１】
【発明の属する技術分野】
この発明は画像編集装置、画像編集方法、および画像編集プログラムに関し、特に、複数のユーザが同時に用いる場合に、各々のユーザが退屈することなく操作することのできる画像編集装置、画像編集方法、および画像編集プログラムに関する。
【０００２】
【従来の技術】
コイン等の対価を投入することで、自動的に被写体である利用者を撮影し、撮影された画像をディスプレイに表示し、表示された撮影画像に対してタブレットペンなどで画像を入力（このような入力は一般に「落書き」や「お絵描き」と呼ばれる。）して、入力された画像と撮影画像とを合成して提供する写真自動販売機や、シールなどに印刷する写真撮影シール販売機などが広く知られている。
【０００３】
このような写真自動販売機等は、通常、友達同士など複数（例えば２人）の利用者によって同時に操作されることが多い。しかし、従来の写真自動販売機では、上述のタブレットペンなどの画像を入力する手段が１つしか備わっていない場合があり、図２５に示されるような編集用画面が表示されて１人の利用者が編集操作を行なう場合が多い。すなわち、複数の利用者で同時に操作ができず、複数の利用者で利用する場合に編集操作ができない利用者にとっては、退屈であるという問題があった。
【０００４】
このような問題を解決するために、特許文献１においては、画像の入力等の編集を複数人で同時に行なうために、画像を入力する手段と受付ける手段とを複数設けた画像印刷装置が開示されている。
【０００５】
また、特許文献２においては、撮影画像を表示する撮影画像表示手段と、撮影画像以外の情報を表示するための、前述の撮影画像表示手段とは異なる表示手段とを備えて、撮影画像を大きく表示させることによって、細かい表情等を見やすく表示することを特徴とする写真自販機について開示されている。
【０００６】
【特許文献１】
特許第３１９６８９７号公報
【０００７】
【特許文献２】
特開２００２−２０８０６６号公報
【０００８】
【発明が解決しようとする課題】
しかしながら、上述の特許文献１において開示されている画像印刷装置のように、画像を入力する手段と受付ける手段とを複数備えると、装置の製造コストが高くなってしまうという問題があった。
【０００９】
また、写真自動販売機等を操作する利用者としては、このような編集操作が得意な利用者ばかりではなく、編集操作に不慣れな利用者も想定される。このような編集操作に不慣れな利用者の場合、限られた操作時間の中で１人で編集に用いる画像の選択を行なったり、撮影画像に任意の線図（落書き）を描込んだりしなければならないので、時間が足らずに満足いく編集ができず、中途半端に終わってしまったり、用意された画像を十分使い切れなかったりするといった問題もある。
【００１０】
本発明はこのような問題に鑑みてなされたものであって、複数の利用者が同時に操作できることによって、高いコミュニケーション性と娯楽性とを備え、満足いく仕上がりの画像編集を行なうことのできる画像編集装置、画像編集方法、および画像編集プログラムを提供することを目的とする。
【００１１】
【課題を解決するための手段】
上記目的を達成するために、本発明のある局面に従うと、画像編集装置は、第１画像に対して入力する候補となる編集用画像の選択を受付ける編集用画像選択手段と、選択された編集用画像を、第１画像に対して入力可能な準備画像として表示する準備画像表示手段と、準備画像表示手段にて表示された準備画像から、第１画像に対して入力する準備画像の選択を受付ける準備画像選択手段と、選択された準備画像を、第１画像に対して入力する画像入力手段とを備える。
【００１２】
また、上述の画像入力手段は、さらに、編集用画像選択手段において選択された編集用画像を第１画像に対して入力することが望ましい。
【００１３】
また、画像編集装置は、第１の入力手段において編集用画像選択手段での編集用画像の選択を実行し、第２の入力手段において準備画像選択手段での準備画像の選択を実行する場合に、第１の入力手段と第２の入力手段とを切替えて、第２の入力手段において編集用画像の選択を行ない、第１の入力手段において準備画像の選択を行なうようにするための切替手段をさらに備えることが望ましい。
【００１４】
また、画像編集装置は、ユーザの指示を受付けて、編集用画像を変化させる変化手段をさらに備え、画像入力手段は、変化した編集用画像を第１画像に対して入力することが望ましい。
【００１５】
また、画像編集装置は、編集用画像を、第１画像の入力される状態で画像入力手段において第１画像に対して入力する以前に表示する編集用画像表示手段をさらに備えることが望ましい。
【００１６】
また、画像編集装置は、編集用画像に対して画像の加工を行なう編集用画像加工手段をさらに備え、加工された編集用画像を、編集用画像として利用可能なことが望ましい。
【００１７】
また、画像編集装置は、準備画像表示手段にて表示された準備画像を消去する準備画像消去手段をさらに備えることが望ましい。
【００１８】
また、画像編集装置は、編集用画像選択手段と準備画像表示手段とを備える第１の表示装置と、準備画像表示手段と準備画像選択手段とを備える第２の表示装置とを含む画像編集装置であって、第１の表示装置の編集用画像選択手段で選択された編集用画像が、第１の表示装置の準備画像表示手段と、第２の表示装置の準備画像表示手段との両方に準備画像として表示されることが望ましい。
【００１９】
また、画像編集装置は、準備画像表示手段および準備画像選択手段を備えるか否かを、選択可能な状態でユーザに提示することが望ましい。
【００２０】
本発明の他の局面に従うと、画像編集方法は、画像編集装置における画像編集方法であって、第１画像に対して入力する候補となる編集用画像の選択を編集用画像選択装置から受付ける編集用画像選択ステップと、選択された編集用画像を、第１画像に対して入力可能な準備画像として表示する準備画像表示ステップと、準備画像表示ステップにて表示された準備画像から、第１画像に対して入力する準備画像の選択を準備画像選択装置から受付ける準備画像選択ステップと、選択された準備画像を、第１画像に対して入力する画像入力手ステップとを備える。
【００２１】
本発明のさらに他の局面に従うと、画像編集プログラムは、画像編集方法をコンピュータに実行させる画像編集プログラムであって、第１画像に対して入力する候補となる編集用画像の選択を編集用画像選択装置から受付ける編集用画像選択ステップと、選択された編集用画像を、第１画像に対して入力可能な準備画像として表示する準備画像表示ステップと、準備画像表示ステップにて表示された準備画像から、第１画像に対して入力する準備画像の選択を準備画像選択装置から受付ける準備画像選択ステップと、選択された準備画像を、第１画像に対して入力する画像入力手ステップとを実行させる。
【００２２】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２３】
図１は、本実施の形態における写真撮影装置である、写真自動販売機の外観の具体例を示す図である。図１を参照して、本実施の形態における写真自動販売機は、パーソナルコンピュータ（以下、ＰＣという）１０１（図４参照）、プリンタ１２、および制御部１０２（基盤）（図４参照）などの各種機器類を収める筐体１と、筐体１と共に撮影ブース４を形成するパネル２と、フレーム材３とを含む。
【００２４】
このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、本実施の形態においては、複数のユーザ１５でプレイを実行するものとする。
【００２５】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材等で代替することもでき、その場合には、フレーム材３にたるみなく張られた状態で固定される。
【００２６】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００２７】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくても構わない。さらに、背景カーテン５は、巻上げ式、引出し方式など、ユーザ１５の手動操作によりセットされてもよいし、操作部５１（図２参照）等を操作することで自動でセットされてもよい。また、背景カーテン５は、さまざまな種類が配備されることで、撮影における遊びの要素ともなり得る。
【００２８】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色等は、背景カーテン５やパネル２内面と同様の理由で適宜選ばれる。
【００２９】
さらに、写真自動販売機の外側には、お絵描きブース５３とプリント取出口９とが備えられる。
【００３０】
お絵描きブース５３は、筐体１の背面に備えられる。お絵描きブース５３は、撮影により得られた画像を表示し、画像の編集を受付けるタブレットディスプレイ１３と、画像入力を行なうためのタブレットペン１４ａと、ユーザに対し音楽や操作方法の説明などを音声で出力するスピーカ２３ｃとを含んでいる。
【００３１】
プリント取出口９は、筐体１の側面に備えられ、箱型の形状を奏している。プリンタ１２でプリントされた写真は排出され、ここに落とされる。プリント取出口９は、そこに落とされた写真がユーザが手にするまで地面に落ちない等の作用を奏するものであれば、その形状は限定されない。例えば、筐体１の内部方向に窪んだ箱状の空間と筐体１の側面に沿う方向に取りつけられた蓋とで形成されていてもよい。そして、ユーザ１５は、プリント取出口９よりプリントされた写真を取出す。なお、プリント取出口９付近には、印刷中ＬＥＤ（Ｌｉｇｈｔ  Ｅｍｉｔｔｉｎｇ  Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３２】
次に、図２に、上述の筐体１を正面（撮影ブース４内方向）から見た具体例を示す。
【００３３】
図２を参照して、筐体１の正面、すなわち被写体であるユーザ１５と相対する面には、カメラ２１と、モニタ２２と、デモンストレーション（以下、「デモ」と略す）音声や、ＢＧＭ、操作方法などのアナウンスを出力するスピーカ２３ａ，２３ｂと、デモ画面や撮影中の操作手順、ユーザ１５へのアナウンスなどを表示するディスプレイ１３ａと、対価である硬貨を投入すためのコイン投入口２６と、前面のメンテナンスなどを行なうためのドアであって、錠２７によって施錠されているフロントドア２８とが備えられる。
【００３４】
また、筐体１のカメラ２１の周囲には、蛍光灯やフラッシュなどを内蔵し、被写体の照明を行なうための照明ボックス１８ａ〜１８ｃが備えられている。また、筐体１の前面には、ユーザ１５からの操作を入力する操作部５１が備えられている。
【００３５】
カメラ２１で撮影された画像はリアルタイムにモニタ２２に表示され、これによりユーザは撮影により得られる画像を知ることができる。
【００３６】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図４参照）から指示される。
【００３７】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ  Ａｒｅａ  Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取回しが容易な位置であれば筐体１の上面に限定されない。
【００３８】
次に、図３に、筐体１を背面（お絵描きブース５３方向）から見た具体例を示す。
【００３９】
図３を参照して、筐体１の背面側には、タブレットディスプレイ１３と、左タブレットペン１４ａおよび右タブレットペン１４ｂ（右タブレットペン１４ａおよび左タブレットペン１４ｂを代表させてタブレットペン１４と言う）と、スピーカ２３ｃ，２３ｄ（スピーカ２３ａ〜ｄを代表させてスピーカ２３と言う）とが備えられる。
【００４０】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４を用いた編集入力（落書き）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。
【００４１】
次に、図４に、本実施の形態における写真自動販売機の機能ブロック図を示し、写真自動販売機の機能について説明する。
【００４２】
図４を参照して、写真自動販売機は、当該写真自動販売機を動作させるためのＰＣ１０１と、基板から構成され、動作中のＰＣ１０１からの指示を受付けて、接続されている各種装置を制御する制御部１０２とを備える。
【００４３】
上述のＰＣ１０１は、ＰＣ１０１の制御を行なう演算装置であるＣＰＵ（Ｃｅｎｔｒａｌ  Ｐｒｏｃｅｓｓｉｎｇ  Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００４４】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００４５】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。
【００４６】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部（図示せず）、フラッシュ（図示せず）、コイン制御部１０７、印刷中ＬＥＤ１０、印刷エラーＬＥＤ１１を制御したりする。
【００４７】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号により、コインが投入されないようにコイン投入口２６をブロックすることができる。
【００４８】
サービスパネル１０５は、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声は、サービスパネル１０５上の音量調整つまみで調整された音量でスピーカ２３から出力される。
【００４９】
操作部５１は、操作部５１での入力信号を制御部１０２に送る。入力信号がＰＣ１０１に送信され、ＰＣ１０１では、操作内容に応じた処理が行なわれる。
【００５０】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５１】
なお、言うまでもなく、写真自動販売機の形態は図１〜図４に示される具体例に限定されるものではない。すなわち、図１〜図４に記載されない他の機能が備えられていてもよいし、図１〜図４に記載されている機能の必ずしも全てが備えられていなくても構わない。例えば、プリンタ１２は写真自動販売機に含まれていなくてもよく、その場合、写真自動販売機は、ＬＡＮ等の専用回線や無線通信等を介して印刷制御信号をプリンタ１２に出力するものとする。
【００５２】
次に、図５のフローチャートを用いて、本実施の形態における写真自動販売機での処理について説明する。図５のフローチャートに示される処理は、ＰＣ１０１のＣＰＵが、記憶装置に記憶されるプログラムをメモリに読出して実行することによって実現される。
【００５３】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをディスプレイ１３ａに表示し、同時に音声をスピーカ２３ａ，２３ｂから出力する（Ｓ１００）。
【００５４】
タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、当該写真自動販売機のメンテナンスを行なうためのテストモードが起動する。
【００５５】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００５６】
ここで写真自動販売機の設置者とは、当該写真自動販売機を設置し営業を行なっている店舗などの経営者、管理者、および従業員であり、営業中に、利用者に対応できるものである。
【００５７】
ステップＳ１１０で受付けたコインは、コイン制御部１０７において正当性や枚数等が検知される。そして、正常にコインを受付けるとプレイが開始される。
【００５８】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００５９】
次に、撮影方法に複数のモードがある場合は、その選択肢を操作用のディスプレイ１３ａに提示し、操作部５１のボタン等で好みの撮影モードをユーザ１５から受付ける（Ｓ１２０）。そして、選択された撮影モードで撮影を開始する（Ｓ１３０）。
【００６０】
また、ここでは、撮影モードだけでなく、ディスプレイ１３ａに表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズーム等の指示を行なうボタンなどが備えられる場合には、それによってカメラ２１の向きやズーム等の指示を受付ける。そして、受付けた撮影モードや背景カーテン５などで撮影が行なわれる。
【００６１】
撮影は、時間経過とともに「３、２、１」などのカウントダウンをディスプレイ１３ａあるいはスピーカ２３ａ，２３ｂに出力して自動で行なうことができる。また、カメラ２１の近傍に設けられた撮影ボタン（図示せず）を押下することで行なってもよい。
【００６２】
撮影は、ＰＣ１０１からカメラ２１に撮影信号が送信されることでシャッタが切られ、実行される。ステップＳ１３０では、このような撮影を所定回数繰返し行なう。
【００６３】
撮影が終了すると、ユーザ１５に対して、お絵描きブース５３へ移動するように促がす案内をディスプレイ１３ａに表示する。案内に従って、ユーザ１５はお絵描きブース５３へ移動する。そして、以降のユーザ１５の操作は、お絵描きブース５３で行なわれる。
【００６４】
次に、撮影した画像をタブレットディスプレイ１３に全て表示し、その中からユーザ１５が気に入った画像をタブレットペン１４のタッチによって受付ける（Ｓ１４０）。
【００６５】
ユーザ１５からの選択を受付けると、選択された画像をタブレットディスプレイ１３に表示する。そして、さらに撮影画像自体の明るさ調整（ハイキー調整）、回転などの画像処理を行なう画面が表示され、ユーザ１５の好みにより撮影した画像を調整または加工することができる。
【００６６】
次に、選択された撮影画像に対して、ユーザ１５からタブレットペン１４により編集入力を受付ける（Ｓ１５０）。
【００６７】
編集入力中、タブレットディスプレイ１３に、撮影された画像と入力する画像とを切換えるためのボタンや、画像を切換えて編集を行なうための「フレーム」「ライン」「スタンプ」「ペン」、入力した画像を消すための「けしごむ」、入力操作を１つ前の状態に戻すための「ひとつもどる」、画像入力を最初からやり直すための「はじめから」、などのボタンを表示する。ユーザ１５は、これらのボタンをタブレットペン１４で押すことで使用するツールを選択する。さらに、色、柄などを選択した後、表示された画像上で編集入力を行なう。編集中には、撮影された画像と編集入力された画像とをそれぞれ別の画層（レイヤ）に展開し、タブレットディスプレイ１３上にそれら画層を重ねて表示する。それぞれの画層のどちらを上に表示するかは、用途により設定されている。例えば、編集入力された画像を撮影された画像の前景画像とする場合には、編集入力された画像が上の画層となる。
【００６８】
さらに編集入力された画像は、スタンプ画像の層、フレーム画像の層など、それぞれ複数の画層で構成されていてもよい。なお、ここで行なわれる編集処理については、後に詳細な説明を行なう。
【００６９】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００７０】
編集入力が終了すると、撮影された画像と編集入力された画像とを合成し、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００７１】
そして、選択された画像の枚数に応じて、予め決められた複数の印刷レイアウトをタブレットディスプレイ１３に表示し、ユーザ１５の選択を受付ける（Ｓ１７０）。
【００７２】
印刷する画像の選択と印刷レイアウトの選択とを受付けると、選択された印刷レイアウトにしたがって生成された印刷画像データをプリンタ１２に出力する。さらに、ユーザ１５をプリンタ１２の前に誘導するアナウンス（たとえば「シールは右から出るよ！」）をスピーカ２３またはタブレットディスプレイ１３より出力する。そして、プリンタ１２で印刷を実行し（Ｓ１８０）、プリント取出口９よりユーザ１５に提供する（Ｓ１９０）。
【００７３】
以上の処理が、１組のユーザ１５が本実施の形態の写真自動販売機で行なうプレイである。そして、上述の処理を終了すると、次にコインが投入されるまで、再度タイトルデモをスピーカ２３およびディスプレイ１３ａから出力する。
【００７４】
なお、上述の実施の形態では、１組のユーザ１５が利用する形態を説明したが、図１に示すとおり、撮影を行なう撮影ブース４と撮影された画像に編集を行なうお絵描きブース５３とが異なる場所に設置されていることから、２組の利用者が同時に利用することもできる。この場合、先の利用者が撮影を終了しお絵描きブース５３に移動すると、ディスプレイ１３ａにはデモ画像が表示され、次の利用者のコイン投入を受付ける。そして、コインが投入されると、次の利用者の撮影が開始される。
【００７５】
また、このように２組の利用者が同時に利用する場合に、撮影や編集等の操作を制御するＰＣ１０１が１台では処理に負荷がかかってしまう場合もある。このため、撮影側の制御を行なうＰＣと編集側の操作を制御するＰＣとをそれぞれ設け、利用者の操作性を向上させることもできる。この場合、図４に示す機能ブロック図において、カメラ２１、モニタ２２など撮影にのみ必要なものは撮影側のＰＣに接続されて制御され、タブレットディスプレイ１３、プリンタ１２など編集にのみ必要なものは編集側のＰＣに接続されて制御される。また、制御部１０２、操作部５１、およびサービスパネル１０５など両方の操作に必要なものは、機能を分割して撮影側と編集側とのそれぞれのＰＣに接続されて制御されてもよいし、どちらか一方のＰＣに接続されて制御されてもよい。
【００７６】
さらに、図６は、上述のステップＳ１５０に示される編集入力処理を行なう際の、タブレットディスプレイ１３に表示される編集（お絵描き）用画面の具体例を示す図である。ユーザ１５は、編集入力処理を行なう際に、図６に示されるような編集用画面を、タブレットペン１４でタッチすることで選択や入力を行なうことができる。以下に、図６を参照しつつ、編集処理のおおよその流れについて説明する。
【００７７】
図６を参照して、本実施の形態における編集用画面において、ステップＳ１４０で選択された編集を行なう対象とする撮影画像が画像入力部２０１に表示される。撮影された他の撮影画像は、撮影画像切替ボタン２０２にボタン表示され、それを選択することで、編集を行なう対象とする撮影画像を他の撮影画像に切替えることができる。
【００７８】
編集処理を行なう際には、編集処理に用いる「フレーム」や「スタンプ」等のツールをツール選択部２０３において選択する。また、各ツールごとの編集用画像が編集用画像選択部２０４にアイコン表示され、そのアイコンを選択することで編集に用いる編集用画像を選択することができる。
【００７９】
本実施の形態においては、編集用画像選択部２０４で編集用画像が選択されると、準備画像表示部２０５に、その選択された編集用画像が、編集処理に用いる編集用画像の候補である準備画像として表示されることを特徴とする。表示はアイコン表示であってもよいし、準備画像そのものを、表示できるサイズに縮小（あるいは拡大）して表示するものであってもよい。また、準備画像表示部２０５に表示された準備画像は、準備画像消去部２０６に移動させることで消去できる。
【００８０】
そして、準備画像表示部２０５に表示された準備画像の中から入力する編集用画像の指定と、画像入力部２０１において編集用画像の入力位置の指定とを受付けると、撮影画像上の受付けた入力位置に、選択された編集用画像が入力される。また、入力された編集用画像は入力画像消去ボタン２０７を押し、画像入力部２０１に表示されている消したい画像をタブレットペン１４でなぞることで消去され、リターンボタン２０８を押すことで編集用画像の入力操作が１つ以前の状態に戻り、入力画像全消去ボタン２０９を押すことで入力された編集用画像が全て消去され、画像入力終了ボタン２１０を押すことで編集処理を強制的に終了することができる。
【００８１】
さらに、本実施の形態においては、試し描画部２１１において、編集用画像選択部２０４にアイコン表示される編集用画像を入力される状態で表示させることができる。また、試し描画加工ボタン２１２を用いて、編集用画像に対する加工を行なうこともできる。また、試し描画部２１１に表示される編集用画像は、試し描画全消去ボタン２１３を押すことで消去することができる。また、試し描画登録ボタン２１４を押すことで、試し描画部２１１で加工された編集用画像を、準備画像として準備画像表示部２０５に表示させることができる。
【００８２】
また、表示切替ボタン２１５を押すことで、図６に示される編集用画面上の配置を左右入替えることができる。
【００８３】
そして、残り時間表示部２１６に表示される時間内に、画像入力部２０１に表示される撮影画像に対して編集入力処理を行なうことができる。
【００８４】
本実施の形態において、このような編集入力処理を行なうために、タブレットディスプレイ１３に表示するためのＰＣ１０１のメモリ構成は、図７に示す構成になっていることを特徴とする。図７に、タブレットディスプレイ１３に編集用画面を表示させるためのメモリ構成の具体例を示す。
【００８５】
図７を参照して、図６に示される編集用画面をタブレットディスプレイ１３に表示させるために、ＰＣ１０１のメモリは、編集用画像選択部２０４を表示する画層（以下、「選択画層」と言う）と、準備画像表示部２０５に表示する画層（以下、「準備画層」と言う）と、撮影画像を画像入力部２０１に表示する画層（以下、「撮影画層」と言う）と、画像入力部２０１に入力した編集画像を表示する画層（以下、「編集画層」と言う）とを含んで構成される。
【００８６】
編集入力の各ツールで用いられる編集用画像は、ＰＣ１０１の記憶装置に格納されており、撮影画像は、撮影後に、一時的な記憶領域として用いられる記憶装置の領域、あるいはメモリに格納される。そして、それらを上述の各層に展開することによって、タブレットディスプレイ１３上の編集用画面において表示させることができる。具体的には、準備画像が表示されていない編集入力の最初は、選択画層と撮影画層とに編集用画像を示すアイコン画像と撮影画像とが展開され表示されており、準備画層と編集画層とには、まだ何も表示されていない状態である。
【００８７】
このような準備画像の表示や削除などは、利用者の操作により随時更新されるため、ＰＣ１０１においては、準備画像の表示状況を管理するための管理変数をメモリ上に確保して制御することが、一般的に行なわれる。しかし、他の形態として、このような編集入力処理を行なうために、ＰＣ１０１の記憶装置が、図８に具体例を示すような構成であっても構わない。すなわち、図８を参照して、ＰＣ１０１の記憶装置は、各ツールごとの編集用画像を記憶する編集用画像記憶領域と、準備画像を記憶する準備画像記憶領域とを備えていても構わない。この場合、準備画像記憶領域に準備画像として画像が格納されることで、準備画像表示部２０５に準備画像を表示させることができる。
【００８８】
次に、図６に示す編集用画面を用いて編集入力処理を行なう際の操作について、具体的に説明する。
【００８９】
図９は、編集用画面において準備画像を表示させる操作を具体的に示す図である。図９を参照して、準備画像を表示させる場合には、編集用画像選択部２０４に表示される編集用画像の中から準備画像として表示させる編集用画像を右タブレットペン１４ｂでタッチし、そのまま準備画像表示部２０５にドラッグする。このことによって、タッチされた編集用画像は準備画像として準備画像表示部２０５に表示される。なお、他の操作方法の具体例として、準備画像として表示させる編集用画像を右タブレットペン１４ｂでタッチし、その後、準備画像表示部２０５の空いている場所をタッチする方法であっても構わない。また、図示しない登録ボタンを設ける場合には、準備画像として表示させる編集用画像を右タブレットペン１４ｂでタッチした後に、登録ボタンにタッチする方法であっても構わない。さらに、準備画像として表示させる編集用画像を右タブレットペン１４ｂでタッチするだけで、空いている場所に自動的に表示させる方法でも構わない。
【００９０】
なお、準備画像表示部２０５には、各ツールにおいて用いられる編集用画像が準備画像として表示される。そのため、当該編集用画像がどのツールにおいて用いられる編集用画像であるかを表示することが好ましい。具体的には、図１０に示されるように、準備画像表示部２０５において、準備画像に、当該画像が用いられるツールを示すマークを付加して表示することが好ましい。また、図１１に示されるように、準備画像表示部２０５において、準備画像に、当該画像が用いられるツールを示すマークを透かし模様として重ねて表示することも好ましい。また、図１２に示されるように、準備画像表示部２０５において、各ツールごとに、所定の位置にそのツールで用いる準備画像を表示することも好ましい。
【００９１】
次に、図１３は、編集用画面において準備画像として表示された編集用画像を撮影画像に入力する操作を具体的に示す図である。図１３を参照して、撮影画像に入力する場合には、準備画像表示部２０５に準備画像として表示されている編集用画像の中から、入力する編集用画像を左タブレットペン１４ａでタッチして選択する。次に、画像入力部２０１において、入力位置を左タブレットペン１４ａでタッチして指定する。このことによって、指定された入力位置に、選択された編集用画像が入力される。なお、他の操作方法の具体例として、上述のように、入力する編集用画像を左タブレットペン１４ａでタッチしてそのまま入力位置までドラッグする方法であっても構わない。
【００９２】
本実施の形態における写真自動販売機で、ユーザ１５がこのような操作を行なうことで実行される、上述のステップＳ１５０における編集入力処理について説明する。図１４を参照して、ステップＳ１５０における編集入力処理は、ステップＳ２０における準備画像の確定処理と、ステップＳ３０における編集用画像の入力処理とに大分される。各々の処理は、先に挙げた図９および図１３に具体例が示される操作によって実行される。
【００９３】
さらに、上述のステップＳ２０およびステップＳ３０の各々処理について説明する。図１５は、上述のステップＳ２０における準備画像の確定処理を示すフローチャートである。
【００９４】
図１５を参照して、始めに、ＰＣ１０１は、タブレットディスプレイ１３上のツール選択部２０３において、ツールを示すいずれかのボタン上に右タブレットペン１４ｂがタッチしたことを検出することによって、ツールの選択を受付ける（Ｓ２０１）。さらに、ステップＳ２０１では、受付けたツールに応じた編集用画像をＰＣ１０１の記憶装置から読出してメモリの選択画層に展開し、タブレットディスプレイ１３上の編集用画像選択部２０４にアイコン表示する。
【００９５】
次に、ＰＣ１０１は、タブレットディスプレイ１３上の編集用画像選択部２０４において、編集用画像を示すいずれかのアイコン上に右タブレットペン１４ｂがタッチしたことを検出することによって、編集用画像の選択を受付ける（Ｓ２０３）。すなわち、ＰＣ１０１は、右タブレットペン１４ｂでタッチされた位置に基づいて、メモリの選択画層に展開されているその位置に対応する編集用画像を決定する。例えば、位置と編集用画像との対応付けは、横方向位置、縦方向位置、および画像情報などが配列されたテーブル情報とタッチされた位置とを比較することで行なうことができる。そして、編集用画像が選択されると、ＰＣ１０１は、メモリ上において、決定された編集用画像が選択されている状態であることを保持する。
【００９６】
次に、ステップＳ２０３で検出したアイコンにタッチしている右タブレットペン１４ｂが、準備画像表示部２０５までタッチしたまま移動して離れた（ドラッグされた）ことを検出すると（Ｓ２０５でＹＥＳ）、選択された編集用画像を、準備画像表示部２０５に表示する（Ｓ２０９）。ここでも、上述と同様にして、右タブレットペン１４ｂでタッチされた位置と、メモリの準備画層において準備画像を表示する位置とを対応づけるテーブル情報などに基づいて、準備画像を表示させる位置を決定する。このとき、すでにその位置に他の準備画像が表示されている場合は、先に表示されている準備画像を無効にし、後から表示させる準備画像を有効にしてもよいし、その位置に表示できないようにしてもよい。
【００９７】
そして、準備画像を表示させる位置が確定すると、選択された状態の編集用画像を記憶装置内から読出し、準備画層上の対応する表示位置に展開して表示させる。
【００９８】
以上で、ステップＳ２０における準備画像の確定処理が終了し、ユーザ１５が右タブレットペン１４ｂでドラッグした編集用画像が、準備画像として準備画層に展開され、準備画像表示部２０５に表示される。
【００９９】
なお、上述の準備画像の確定処理では、記憶装置の編集用画像記憶領域に記憶されている選択された編集用画像がそのまま準備画層に展開されることで、準備画像として表示される場合を示しているが、当該写真自動販売機が、編集用画像をユーザ１５からの指示を受付けて自動的に変化させる機能を備えている場合には、変化させた編集用画像を準備画像として表示させてもよい。具体的に、編集用画像をリアルタイムに変化させ、ユーザから指示のあった時点の変化後の画像を編集用画像とする機能については、本願の出願人が先に出願した特願２００２−３１７２８３号に記載されている。そこで、本実施の形態においても、その技術を用いて変化させた編集用画像を、上と同様の処理を行なって準備画像として表示させることができる。このことによって、編集入力に用いることのできる編集用画像の種類を増やすことができる。また、変化ごとの全ての編集用画像を編集用画像選択部２０４に表示する必要がないため、編集用画像選択部２０４に１度に表示することのできる編集用画像の種類を増やすことができる。さらに、変化した画像がリアルタイムに表示され、ユーザはその中から所望の画像を選択するだけでよいため、限られた操作時間であっても、満足できる編集用画像を得ることができる。
【０１００】
次に、図１６は、上述のステップＳ３０における編集用画像の入力処理を示すフローチャートである。
【０１０１】
図１６を参照して、始めに、ＰＣ１０１は、タブレットディスプレイ１３上の準備画像表示部２０５において、準備画像を示すいずれかのアイコン上に左タブレットペン１４ａがタッチしたことを検出することによって、準備画像の選択を受付ける（Ｓ３０１）。すなわち、ＰＣ１０１は、左タブレットペン１４ａでタッチされた位置に基づいて、メモリの準備画層に展開されているその位置に対応する編集用画像を決定する。
【０１０２】
次に、ＰＣ１０１は、タブレットディスプレイ１３上の画像入力部２０１において、左タブレットペン１４ａがタッチした位置を検出することによって、入力位置の指定を受付ける（Ｓ３０３）。
【０１０３】
そして、画像入力部２０１に表示されている撮影画像に編集入力する編集用画像と、撮影画像上での編集用画像の入力位置とを確定し、撮影画像の指定された入力位置に編集用画像を入力する（Ｓ３０５）。すなわち、ＰＣ１０１は、選択された編集用画像を記憶装置から読出し、メモリの編集画層に展開することで画像入力部２０１に表示する。
【０１０４】
以上で、ステップＳ３０における編集用画像の入力処理が終了して、図５のステップＳ１６０に処理が進む。このように編集入力処理が終了すると、ＰＣ１０１は、編集画層に展開されいてる画像を、画像ファイルに保存する。そして、ステップＳ１８０での印刷処理の際、この画像ファイルに保存されている画像を読出し、撮影画像と合成して、プリンタ１２で印刷する。
【０１０５】
なお、図１４には示されていないが、ステップＳ２０において準備画像として準備画像表示部２０５に表示させた編集用画像を、前述の如く、準備画像消去部２０６に右タブレットペン１４ｂでドラッグすることで、消去することもできる。この場合、ＰＣ１０１においては、右タブレットペン１４ｂでタッチされて選択された準備画像を、メモリの準備画層から削除する。このため、準備画像表示部２０５の表示スペースを有効に活用することができる。
【０１０６】
なお、図１４においては、１つの編集用画像を準備画像として確定し（Ｓ２０）、その後、編集用画像を入力する（Ｓ３０）順で編集入力処理を行なう旨が示されているが、図６などに示すように、準備画像は複数表示させることができ、また左右にタブレットペン１４が備えられていることから、これらの準備画像の確定と編集用画像の入力とは、同時に行なうことができる。
【０１０７】
本実施の形態における写真自動販売機で、上述の準備画像の確定処理および編集用画像の入力処理からなる編集入力処理が実行されることによって、複数（例えば２人）のユーザ１５で編集入力を行なう際に、１人は右タブレットペン１４ｂで入力編集処理で用いる画像の準備（画像の選択）を行ない、他の１人は左タブレットペン１４ａで準備された画像を用いて編集入力を行なうことができる。このため、複数のユーザでプレイを実行した場合であっても、全てのユーザが退屈することなく同時に遊戯操作を行なうことができ、ユーザに遊戯性の高いプレイを提供することができる。
【０１０８】
また、左タブレットペン１４ａ側と右タブレットペン１４ｂ側とで操作内容の異なるプレイが同時に進行するため、ユーザ間の会話が促進され、ユーザにコミュニケーション性の高いプレイを提供することができる。
【０１０９】
さらに、本実施の形態においては、図６に示される編集用画面の試し描画部２１１において、撮影画像への入力とは独立して撮影画像への入力に先立って、編集用画像を入力される状態で表示させることができる。また、その編集用画像を加工することもできる。そこで、図６に示す編集用画面を用いて編集用画像を入力される状態で表示させる際の操作、さらに、編集用画像の加工を行なう際の操作について、具体的に説明する。
【０１１０】
図１７は、編集用画面において編集用画像を入力される状態で表示させる操作を具体的に示す図である。図１７を参照して、編集用画像を入力される状態で表示させる場合には、編集用画像選択部２０４に表示される編集用画像の中から、表示させる編集用画像を右タブレットペン１４ｂでタッチし、そのまま試し描画部２１１にドラッグする。このことによって、タッチされた編集用画像が入力される状態で試し描画部２１１に表示される。
【０１１１】
さらに、表示された編集用画像を加工する場合には、試し描画部２１１に表示させた後に、試し描画加工ボタン２１２である回転ボタンや拡大ボタンや縮小ボタンの右タブレットペン１４ｂでタッチして加工する。また、右タブレットペン１４ｂで試し描画部２１１上に描込みを行なうことで、線図等を描き加えることもできる。
【０１１２】
さらに、加工後に右タブレットペン１４ｂで試し描画登録ボタン２１４にタッチすることで、加工した編集用画像を準備画像として表示させることもできる。この場合には、図１５に示した処理と同様に、ＰＣ１０１において、加工された編集用画像をメモリ上の準備画層に展開させることで、当該画像を準備画像として準備画像表示部２０５に表示させる。なお、加工された編集用画像がＰＣ１０１の記憶装置に記憶されることで、今回のプレイのみならず、以降のプレイにおいて編集用画像として用いることができても構わない。試し画像描画部２１１には、画像入力部２０１に入力される大きさで編集用画像が表示されるが、準備画像表示部２０５には、その画像をイメージできる程度に縮小等が施されて表示される。
【０１１３】
本実施の形態における写真自動販売機が、編集用画面にこのような試し描画部２１１を備えることで、編集用画像のイメージを、実際に編集入力する前に確かめることができて便利である。また、本実施の形態における写真自動販売機でこのような編集用画像の加工処理が実行されることで、編集入力する前に編集用画像を加工することができるので、ユーザが独自性を発揮することができる。
【０１１４】
また、編集用画像の選択やこのような編集用画像の加工などの入力編集処理で用いる画像の準備と、準備された画像を用いた編集入力とを、複数のユーザで分担して行なうことができるため、限られた操作時間内であっても満足のできる入力編集操作を行なうことができる。
【０１１５】
さらに、本実施の形態においては、図６に示される編集用画面の表示切替ボタン２１５にタッチすることで、図１８に示すように、編集用画面の左右の表示を切替えることができる。すなわち、図６に示される編集用画面における左タブレットペン１４ａ側と右タブレットペン１４ｂ側との操作を入替えることができる。これは、ＰＣ１０１の記憶領域に、予め編集用画面の表示データを図６に示される画面の表示データと図１８に示される（左右が切替わった）画面の表示データとを２種類用意しておき、ユーザからの指示によって他方の表示データを読み出してタブレットディスプレイ１３に出力することによって実行される。
【０１１６】
本実施の形態における写真自動販売機においてこのような処理が実行されることによって、複数のユーザがその立ち位置や持っているタブレットペン１４を替えることなく、左右の操作を切替えることができる。
【０１１７】
さらに、本実施の形態の写真自動販売機での編集入力処理においては、ステップＳ２０での準備画像の確定処理を右タブレットペン１４ｂにおいて行なう処理とし、ステップＳ３０での編集用画像の入力処理を左タブレットペン１４ａにおいて行なう処理としている。このような処理の分担は、ＰＣ１０１が、各処理において該当するタブレットペンからの入力のみを受付け、他のタブレットペンからの入力を受付けないようにすることで実現することができる。このように、本実施の形態における写真自動販売機は、編集用画像を入力する編集用画像入力部と編集入力処理の指示を受付けるタブレットペン１４とを対にして複数組み備える必要がなく、左右のタブレットペン１４からの入力処理を分ける（制限する）ことで、複数のユーザが分担して編集操作を行なうことができる。そのため、当該写真自動販売機自体の製造コストを低くすることができる。
【０１１８】
なお、本実施の形態において、タブレットペンによる入力の制限は、上に述べた実施の形態に限定されるものではない。すなわち、右タブレットペン１４ｂでは準備画像の確定処理のみに制限され、左タブレットペン１４ａでは準備画像の確定処理と編集用画像の入力処理とが行なうことができてもよい。また、その他の分担がなされても構わない。
【０１１９】
また、本実施の形態の写真自動販売機での編集入力処理では、ステップＳ３０での編集用画像の入力処理を実行する際に、準備画像を編集入力するものとしているが、従来の写真自動販売機と同様に、編集用画像選択部２０４に表示される編集用画像を直接画像入力部２０１において編集入力することができても構わない。このことによって、特に１人でプレイするときには、選択した編集用画像を準備画像として準備画像表示部２０５に表示させる必要がなく、操作性が高まる。
【０１２０】
さらに、ユーザ１５からの指示に応じて、図６に示されるような本実施の形態における編集用画面と、その他の形態の編集用画面とが切替わっても構わない。具体的には、ステップＳ１１０でのコイン投入後や、ステップＳ１５０での編集入力処理開始前などに、図１９に示されるようなプレイ形態指定画面をディスプレイ１３に表示し、ユーザ１５からの指示を受付けても構わない。そして、図１９に示される「両方のペンでみんなでプレイ！」が選択された場合には図６に示される編集用画面を表示し、「左のペンで１人でプレイ！」が選択された場合には、左タブレットペン１４ａからの編集入力が可能な図２５に示されるような従来の編集用画面を表示し、「右のペンで１人でプレイ！」が選択された場合には、右タブレットペン１４ｂからの編集入力が可能な図２５に示されるような従来の編集用画面を表示しても構わない。また、他の選択可能な編集用画面としては、両方のタブレットペン１４による入力が可能な図２５に示されるような従来の編集用画面であっても構わないし、図２０に示されるような、１つのタブレットディスプレイ１３上において２画面を用いて左右のタブレットペン１４の各々で異なる撮影画像に対する編集入力を行なうことができる編集用画面であっても構わない。
【０１２１】
本実施の形態の写真自動販売機においてこのような編集用画面の選択を行なうことができることで、１人でプレイするとき等、準備画像表示部２０５が不要な場合に、準備画像表示部２０５のない編集用画面を選択することができる。このため、利用者の選択の幅が広がり、利用者の操作性を高めることができる。また、準備画像表示部が必要としない場合には、画像入力部２０１等の表示面積を大きくすることにより細かな編集入力が可能となり、また、編集用画像選択部２０４の表示面積を大きくすることにより多くの編集用画像を１度に表示でき操作性が高まると共に、バラエティ豊な編集を行なうことができる。またさらに、１人でプレイするときにどちらかのタブレットペンのみを有効とすることによって、利き手に合った側のタブレットペンを選ぶことができ、編集入力処理による制御手段の負荷を軽減することができる。
【０１２２】
［変形例］
本実施の形態における変形例として、図２１に示すような左タブレットディスプレイ１３ｌと右タブレットディスプレイ１３ｒとを含む複数のタブレットディスプレイ１３を備える写真自動販売機について説明する。
【０１２３】
この場合、変形例における写真自動販売機の機能ブロック図は図２２に示す如くとなり、図４に示される本実施の形態における写真自動販売機の機能ブロック図に対して、ＰＣ１０１が、左タブレットディスプレイ１３ｌと右タブレットディスプレイ１３ｒとを制御する点が異なる。また、左タブレットディスプレイ１３ｌおよび右タブレットディスプレイ１３ｒは、各々、左タブレットペン１４ａおよび右タブレットペン１４ｂからの入力を受付ける。
【０１２４】
変形例における写真自動販売機で編集入力処理を行なう際には、左タブレットディスプレイ１３ｌには図２３に示される編集用画面が表示され、右タブレットディスプレイ１３ｒには図２４に示される編集用画面が表示される。
【０１２５】
変形例における写真自動販売機での編集入力処理は、上述の実施の形態における処理と同様であって、右タブレットディスプレイ１３ｒで右タブレットペン１４ｂからの入力を受付け、編集用画像選択部２０４から選択された編集用画像を、準備画像として、右タブレットディスプレイ１３ｒに表示される編集用画面（図２４）上の準備画像表示部２０５に表示する。このとき、上に述べたように、選択された編集用画像は、メモリ上の準備画層に展開されることで、準備画像表示部２０５に表示される。この場合、ＰＣ１０１は、右タブレットディスプレイ１３ｒと左タブレットディスプレイ１３ｌとの表示状況を総合して管理するための変数をメモリ上に確保して制御する。そのため、右タブレットペン１４ｂからの入力で準備画像として表示された編集用画像は、同期して、左タブレットディスプレイ１３ｌに表示される編集用画面（図２３）の準備画像表示部２０５に表示される。そして、左タブレットディスプレイ１３ｌの画像入力部２０１において、左タブレットペン１４ａから、準備画像を撮影画像に入力する指示を受付ける。
【０１２６】
このように、変形例においては、異なるディスプレイにおいて準備画像の確定処理と編集用画像の入力処理とを行なうことができるため、各表示部および入力部をディスプレイ１３上に広く表示することができる。すなわち、左タブレットディスプレイ１３ｌの編集用画面において、画像入力部２０１を広く表示することができるため、細かい部分の描写がしやすくなる。また、左タブレットディスプレイ１３ｌの編集用画面において、準備画像表示部２０５を広く表示することができるため、準備画像が多く表示され、バラエティ豊かな編集を行なうことができる。また、右タブレットディスプレイ１３ｒの編集用画面において、準備画像表示部２０５を広く表示することができるため、準備画像を多く表示させることができる。また、右タブレットディスプレイ１３ｒの編集用画面において、試し描画部２１１を広く表示することができるため、編集用画像に値して細かい部分の加工がし易くなる。また、右タブレットディスプレイ１３ｒの編集用画面において、編集用画像選択部２０４を広く表示することができるため、選択可能な編集用画像を多く表示することができる。
【０１２７】
さらに、上述の実施の形態と同様に、表示切替ボタン２１５に左タブレットペン１４ａあるいは右タブレットペン１４ｂでタッチすることで、図２３および図２４に示される編集用画面を左タブレットディスプレイ１３ｌおよび右タブレットディスプレイ１３ｒで入替えることができる。このことによって、複数のユーザがその立ち位置や持っているタブレットペン１４を替えることなく、左タブレットディスプレイ１３ｌおよび右タブレットディスプレイ１３ｒでの操作を切替えることができる。さらに、左タブレットディスプレイ１３ｌと右タブレットディスプレイ１３ｒとの間に一定の距離を設けることができ、ユーザ同士が並んで操作する場合にもぶつかることなく、操作性が向上する。
【０１２８】
さらに、上述の実施の形態における写真自動販売機で行なわれる画像の編集方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２９】
提供されるプログラム製品は、ハードディスクなどのプログラム格納部にインストールされて実行される。なお、プログラム製品は、プログラム自体と、プログラムが記録された記録媒体とを含む。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真撮影装置である、写真自動販売機の外観の具体例を示す図である。
【図２】筐体１を正面（撮影ブース４内方向）から見た具体例を示す図である。
【図３】筐体１を背面（お絵描きブース５３方向）から見た具体例を示す図である。
【図４】本実施の形態における写真自動販売機の機能ブロック図である。
【図５】本実施の形態における写真自動販売機での処理を示すフローチャートである。
【図６】編集（お絵描き）用画面の具体例を示す図である。
【図７】タブレットディスプレイ１３に編集用画面を表示させるためのメモリ構成の具体例を示す図である。
【図８】ＰＣ１０１の記憶装置の構成の具体例を示す図である。
【図９】編集用画面において準備画像を表示させる操作を具体的に示す図である。
【図１０】準備画像表示部２０５に表示される準備画像の具体例を示す図である。
【図１１】準備画像表示部２０５に表示される準備画像の具体例を示す図である。
【図１２】準備画像表示部２０５に表示される準備画像の具体例を示す図である。
【図１３】編集用画面において準備画像として表示された編集用画像を撮影画像に入力する操作を具体的に示す図である。
【図１４】ステップＳ１５０における編集入力処理について示すフローチャートである。
【図１５】ステップＳ２０における準備画像の確定処理を示すフローチャートである。
【図１６】ステップＳ３０における編集用画像の入力処理を示すフローチャートである。
【図１７】編集用画面において編集用画像を入力される状態で表示させる操作を具体的に示す図である。
【図１８】左右の表示が切替えられた編集用画面の具体例を示す図である。
【図１９】プレイ形態指定画面の具体例を示す図である。
【図２０】選択可能な他の編集用画面の具体例を示す図である。
【図２１】変形例における筐体１を背面（お絵描きブース５３方向）から見た具体例を示す図である。
【図２２】変形例における写真自動販売機の機能ブロック図である。
【図２３】左タブレットディスプレイ１３ｌに表示される編集用画面の具体例を示す図である。
【図２４】右タブレットディスプレイ１３ｒに表示される編集用画面の具体例を示す図である。
【図２５】従来の写真自動販売機における編集用画面の具体例を示す図である。
【符号の説明】
１  筐体、１２  プリンタ、１３，１３ｌ，１３ｒ  タブレットディスプレイ、１３ａ  ディスプレイ、１４  タブレットペン、１５  ユーザ、２１  カメラ、２２  モニタ、１０１  パーソナルコンピュータ、１０２  制御部、２０１  画像入力部、２０２  撮影画像切替ボタン、２０３  ツール選択部、２０４  編集用画像選択部、２０５  準備画像表示部、２０６  準備画像消去部、２０７  入力画像消去ボタン、２０８  リターンボタン、２０９  入力画像全消去ボタン、２１０  画像入力終了ボタン、２１１  試し描画部、２１２  試し描画加工ボタン、２１３  試し描画全消去ボタン、２１４  試し描画登録ボタン、２１５  表示切替ボタン、２１６  残り時間表示部。
【図１】
2004178308.tif 000003
【図２】
2004178308.tif 000004
【図３】
2004178308.tif 000005
【図４】
2004178308.tif 000006
【図５】
2004178308.tif 000007
【図６】
2004178308.tif 000008
【図７】
2004178308.tif 000009
【図８】
2004178308.tif 000010
【図９】
2004178308.tif 000011
【図１０】
2004178308.tif 000012
【図１１】
2004178308.tif 000013
【図１２】
2004178308.tif 000014
【図１３】
2004178308.tif 000015
【図１４】
2004178308.tif 000016
【図１５】
2004178308.tif 000017
【図１６】
2004178308.tif 000018
【図１７】
2004178308.tif 000019
【図１８】
2004178308.tif 000020
【図１９】
2004178308.tif 000021
【図２０】
2004178308.tif 000022
【図２１】
2004178308.tif 000023
【図２２】
2004178308.tif 000024
【図２３】
2004178308.tif 000025
【図２４】
2004178308.tif 000026
【図２５】
2004178308.tif 000027